(57)【特許請求の範囲】
【請求項１】
第１の端子に入力された信号から第１の放送信号を濾波抽出する第１の濾波器と、
前記第１の端子に入力された信号から第２の放送信号を濾波抽出するとともに、第３のスイッチング素子を介して接地接続されている第２の濾波器と、
前記第１の濾波器により濾波抽出された前記第１の放送信号を増幅する第１の増幅器と、
前記第２の濾波器により濾波抽出された前記第２の放送信号を第１のスイッチング素子を介して増幅する、及び、第２の端子に入力された前記第２の放送信号を第２のスイッチング素子を介して増幅する第２の増幅器と、
前記第１の放送信号と前記第２の放送信号との混合入力および個別入力のいずれかを選択するとともに、該選択に従って前記第１、第２、第３のスイッチング素子をオン／オフ状態に切り換える操作手段と、
を備えた前置増幅器であって、
前記操作手段により混合入力が選択されると、前記第１の端子に前記第１の放送信号及び前記第２の放送信号が混合して入力され、少なくとも前記第１のスイッチング素子がオン状態、前記第２のスイッチング素子がオフ状態になり、前記第１の端子に入力された前記第１の放送信号は、第１の濾波器を介して前記第１の増幅器により増幅され、前記第１の端子に入力された前記第２の放送信号は、前記第２の濾波器を介して前記第２の増幅器により増幅され、前記操作手段により個別入力が選択されると、前記第１の端子に前記第１の放送信号が、前記第２の端子に前記第２の放送信号が個別入力され、前記第１のスイッチング素子がオフ状態、前記第２のスイッチング素子及び前記第３のスイッチング素子がオン状態になり、前記第１の端子に入力された前記第１の放送信号は前記第１の増幅器により増幅され、前記第２の端子に入力された前記第２の放送信号は前記第２の増幅器により増幅されるとともに、前記第１のスイッチング素子が介挿されている信号ラインを、前記第２のスイッチング素子が介挿されている信号ラインから切り離すとともに、第３のスイッチング素子をオン状態して、前記第１のスイッチング素子が介挿されている信号ラインを接地状態にすることにより前記第１の放送信号に廻り込む前記第２の放送信号の成分を減衰させることを特徴とする前置増幅器。
【請求項２】
前記操作手段は、個別入力が選択されると、前記第１のスイッチング素子が介挿される信号ラインの切り離しを同時に行う１つの操作子であることを特徴とする請求項１記載の前置増幅器。
【発明の詳細な説明】
【０００１】
【発明の属する技術分野】
本発明は、ＣＡＴＶ受信設備や共聴システムに用いて好適な前置増幅器に関する。
【０００２】
【従来の技術】
従来より、ＣＡＴＶ受信設備や共聴システムでは、１基のアンテナ出力を複数の受信増幅器に分配したり、アンテナだけでは十分な受信レベルが得られない時に、前置増幅器を設けてアンテナ出力をブーストするようにしている。
【０００３】
このような前置増幅器の構成を図２に示す。この図において、Ｔ１は個別入力あるいは混合入力として用いられる端子である。端子Ｔ１を個別入力端子として使用する時にはＢＳ・ＣＳバンドの放送信号が入力され、混合入力端子として使用する時にはＶＨＦ・ＵＨＦバンドの放送信号およびＢＳ・ＣＳバンドの放送信号が混合入力される。
【０００４】
Ｔ２はＶＨＦ・ＵＨＦバンドの放送信号が個別入力される端子である。Ｔ３は混合出力端子である。Ｃ１〜Ｃ９はそれぞれ結合コンデンサ、Ｃ１０は通過コンデンサである。ＣＨ１〜ＣＨ２は電流帰還用のチョークコイル、Ｄ１〜Ｄ２はスイッチングダイオードである。Ｒ１〜Ｒ２は負荷抵抗である。
【０００５】
１はチップ部品から構成されるハイパスフィルタ（ＨＰＦ）であり、端子Ｔ１に供給される信号の内、ＢＳ・ＣＳバンドの放送信号を次段へ出力する。２，６は共にチップ部品から構成されるローパスフィルタ（ＬＰＦ）であり、ＶＨＦ・ＵＨＦバンドの放送信号を次段へ出力する。３はＢＳ・ＣＳアンプ（以下、アンプ３と略称する）であり、ＨＰＦ１を介して入力されるＢＳ・ＣＳバンドの放送信号をブースト出力する。
【０００６】
４はＶＨＦ・ＵＨＦアンプ（以下、アンプ４と略称する）であり、後述する選択スイッチＳＷの操作に応じてスイッチングダイオードＤ１あるいはＤ２を介して入力されるいずれかのＶＨＦ・ＵＨＦバンドの放送信号をブースト出力する。５は混合器であり、上記アンプ３，４の各出力を混合して端子Ｔ３へ出力する。
【０００７】
選択スイッチＳＷは、上述の端子Ｔ１を混合入力端子とするか、あるいは端子Ｔ１，Ｔ２を個別入力端子にするかを選択するスイッチである。このスイッチＳＷでは、中立端子Ｓ２にスイッチング電圧Ｖｄが印加されており、当該スイッチＳＷが端子Ｓ１側を選択した時には、負荷抵抗Ｒ１を介してスイッチングダイオードＤ１がオン状態となる。これにより、ＬＰＦ２から出力されるＶＨＦ・ＵＨＦバンドの放送信号がＶＨＦ・ＵＨＦアンプ４に入力される。
一方、選択スイッチＳＷが端子Ｓ３側を選択した時には、負荷抵抗Ｒ２を介してスイッチングダイオードＤ２がオン状態となる。これにより、ＬＰＦ６から出力されるＶＨＦ・ＵＨＦバンドの放送信号がＶＨＦ・ＵＨＦアンプ４に入力される。
【０００８】
つまり、選択スイッチＳＷが端子Ｓ１側を選択すると、端子Ｔ１が混合入力端子に設定され、この端子Ｔ１に入力されるＶＨＦ・ＵＨＦバンドの放送信号およびＢＳ・ＣＳバンドの放送信号が、ＨＰＦ１およびＬＰＦ２により分波され、分波された各帯域の放送信号はアンプ３，４にて別々にブーストされた後に混合器５を介して端子Ｔ３より混合出力される。
【０００９】
一方、選択スイッチＳＷが端子Ｓ３側を選択すると、端子Ｔ１，Ｔ２が個別入力端子に設定され、端子１に入力されるＢＳ・ＣＳバンドの放送信号はＨＰＦ１を介してアンプ３に入力され、端子Ｔ２に入力されるＶＨＦ・ＵＨＦバンドの放送信号はＬＰＦ６を介してアンプ４に入力される。そして、各々アンプ３，４のブースト出力は混合器５を経て端子Ｔ３より混合出力される。
【００１０】
【発明が解決しようとする課題】
さて、このような前置増幅器において、選択スイッチＳＷを端子Ｓ３側に設定し、端子Ｔ１側にＢＳ・ＣＳバンドの放送信号を、端子Ｔ２側にＶＨＦ・ＵＨＦバンドの放送信号をそれぞれ個別に入力すると、端子Ｔ２と端子Ｔ３との間では図３（イ）に示すように、入力されたＶＨＦ・ＵＨＦバンドの放送信号のスペクトルがそのまま適正に現われるが、端子Ｔ１と端子Ｔ３との間では同図（ロ）に示すように、入力されたＢＳ・ＣＳバンドの放送信号のスペクトル以外に、ＶＨＦ・ＵＨＦバンドの放送信号が不要スペクトルとして現われてしまう。
【００１１】
こうした不要スペクトルが生じる原因は、スイッチングダイオードＤ１、選択スイッチＳＷおよび信号パターン等の各部のアイソレーション特性が低い為にＶＨＦ・ＵＨＦバンドの放送信号が廻り込んでしまうことにある。このような廻り込みが生じると、ノイズ源である不要スペクトルと、端子Ｔ２に入力するＶＨＦ・ＵＨＦバンドが混合されるため、本来のＶＨＦ・ＵＨＦバンドの放送信号のＣＮ比を劣化させるという弊害が出てくる。
そのため、アイソレーション特性に優れたスイッチング素子やスイッチを用いたり、信号漏れを起こすパターン部分をシールドする等の施策を採れば良いが、そのようにすると、製品コスト高を招致するという問題がある。
【００１２】
本発明は、このような事情に鑑みてなされたもので、製品コスト高を招致することなく、個別入力時における信号廻り込みを抑止し得る前置増幅器を提供することを目的としている。
【００１３】
【課題を解決するための手段】
上記目的を達成するため、請求項１に記載の発明では、第１の端子に入力された信号から第１の放送信号を濾波抽出する第１の濾波器と、
前記第１の端子に入力された信号から第２の放送信号を濾波抽出するとともに、第３のスイッチング素子を介して接地接続されている第２の濾波器と、
前記第１の濾波器により濾波抽出された前記第１の放送信号を増幅する第１の増幅器と、
前記第２の濾波器により濾波抽出された前記第２の放送信号を第１のスイッチング素子を介して増幅する、及び、第２の端子に入力された前記第２の放送信号を第２のスイッチング素子を介して増幅する第２の増幅器と、
前記第１の放送信号と前記第２の放送信号との混合入力および個別入力のいずれかを選択するとともに、該選択に従って前記第１、第２、第３のスイッチング素子をオン／オフ状態に切り換える操作手段と、
を備えた前置増幅器であって、
前記操作手段により混合入力が選択されると、前記第１の端子に前記第１の放送信号及び前記第２の放送信号が混合して入力され、少なくとも前記第１のスイッチング素子がオン状態、前記第２のスイッチング素子がオフ状態になり、前記第１の端子に入力された前記第１の放送信号は、第１の濾波器を介して前記第１の増幅器により増幅され、前記第１の端子に入力された前記第２の放送信号は、前記第２の濾波器を介して前記第２の増幅器により増幅され、前記操作手段により個別入力が選択されると、前記第１の端子に前記第１の放送信号が、前記第２の端子に前記第２の放送信号が個別入力され、前記第１のスイッチング素子がオフ状態、前記第２のスイッチング素子及び前記第３のスイッチング素子がオン状態になり、前記第１の端子に入力された前記第１の放送信号は前記第１の増幅器により増幅され、前記第２の端子に入力された前記第２の放送信号は前記第２の増幅器により増幅されるとともに、前記第１のスイッチング素子が介挿されている信号ラインを、前記第２のスイッチング素子が介挿されている信号ラインから切り離すとともに、第３のスイッチング素子をオン状態して、前記第１のスイッチング素子が介挿されている信号ラインを接地状態にすることにより前記第１の放送信号に廻り込む前記第２の放送信号の成分を減衰させることを特徴としている。
【００１４】
また、請求項２に記載の発明では、前記操作手段は、個別入力が選択されると、前記第１のスイッチング素子が介挿される信号ラインの切り離しを同時に行う１つの操作子であることを特徴としている。
【００１５】
本発明では、操作手段の操作により個別入力側が選択されると、第１のスイッチング素子が介挿される信号ラインを、第２の放送信号の増幅入力ラインから切り離すと共に、当該第１のスイッチング素子が介挿される信号ラインを接地して第１の放送信号に廻り込む第２の放送信号の成分を減衰させる。
これにより、アイソレーション特性に優れた素子やスイッチを用いたり、信号漏れを起こすパターン部分をシールドする等の製品コスト高を招致する施策を採らずに、回路構成上の工夫によりアイソレーション特性を向上させて信号廻り込みを抑止することが可能になる。
【００１６】
【発明の実施の形態】
本発明による前置増幅器は、ＣＡＴＶ受信設備や共聴システムなどに適用され得る。以下では、本発明の実施の形態である前置増幅器を実施例として図面を参照して説明する。
図１は、本発明の一実施例による前置増幅器の構成を示す回路図である。この図において、図２に図示した従来例と共通する回路要素には同一の番号を付し、その説明を省略する。
【００１７】
図１に示す実施例が、図２に示す従来例と異なる点は、▲１▼アイソレーション特性が低く、前述の廻り込みの一要因となるスイッチングダイオードＤ１への入力ラインを、個別入力時にアンプ４の入力ラインから切り離すと同時に、▲２▼個別入力時に、スイッチングダイオードＤ１が介挿される信号ラインを接地するスイッチングダイオードＤ３を設け、ＬＰＦ２の出力側を短絡状態としてアイソレーション特性を向上させたことにある。
【００１８】
即ち、ローパスフィルタＬＰＦ２に接続されるコンデンサＣ４の他端は、スイッチングダイオードＤ３を介して、また、抵抗Ｒ３、コンデンサＣ１２を介して接地され、さらに、コンデンサＣ１１を介してスイッチングダイオードＤ１に接続される。抵抗Ｒ３とコンデンサＣ１２の接続点は選択スイッチＳＷの端子Ｓ３に接続されている。また、アンプ４に接続されていたコンデンサＣ９の一端は、選択スイッチＳＷの端子Ｓ２に接続されている。
【００１９】
本発明の前置増幅器の動作を説明する。端子Ｔ１を混合入力端子として使用する場合は、選択スイッチＳＷを端子Ｓ１側に設定する。すると、スイッチング電源Ｖｄが抵抗Ｒ１を介してスイッチングダイオードＤ１に供給されて、スイッチングダイオードＤ１をオン状態にすると共に、コンデンサＣ９とアンプ４を接続させる。よって、端子Ｔ１に入力したＶＨＦ・ＵＨＦ・ＢＳ・ＣＳバンドの内、ＶＨＦ・ＵＨＦバンドがローパスフィルタＬＰＦ２、スイッチングダイオードＤ１を介してアンプ４でブーストされ、ＢＳ・ＣＳバンドはハイパスフィルタＨＰＦ１を介してアンプ３でブーストされ、混合器５に入力される。
【００２０】
次に、端子Ｔ１を個別入力端子として使用する場合は、選択スイッチＳＷを端子Ｓ３側に設定する。すると、当該スイッチＳＷの操作に応じてスイッチングダイオードＤ１が介挿される信号ラインが、アンプ４の入力ラインから切り離される。
また、同時に、選択スイッチＳＷが端子Ｓ３側に設定されると、端子Ｓ２と端子Ｓ３が接続されてスイッチング電源Ｖｄが負荷抵抗Ｒ３を介してスイッチングダイオードＤ３に供給され、オン状態となり、これによりＬＰＦ２の出力側が短絡される。スイッチング電源Ｖｄは同時に抵抗Ｒ２を介してスイッチングダイオードＤ２に供給し、オン状態にする。
【００２１】
しかして、端子Ｔ２に入力されるＶＨＦ・ＵＨＦバンドの放送信号は、スイッチングダイオードＤ１が介挿される信号ライン側へ漏れず、ダイオードＤ２を経てアンプ４からブースト出力されて混合器５に入力される。一方、端子Ｔ１に個別入力されるＢＳ・ＣＳバンドの放送信号は、そのままＨＰＦ１を経てアンプ３からブースト出力されて混合器５に入力される。
この結果、端子Ｔ１と端子Ｔ３との間では図３（ロ）に図示した不要スペクトルが除去され、ＢＳ・ＣＳ信号だけが現われるため、ＶＨＦ・ＵＨＦバンドの放送信号のＣＮ比の劣化を回避することができる。
【００２２】
このように、本発明によれば、アイソレーション特性に優れた素子やスイッチを用いたり、信号漏れを起こすパターン部分をシールドする等の製品コスト高を招致する施策を採らずに、上述した回路構成上の工夫によりアイソレーション特性を向上させて信号廻り込みを抑止し得るようになっている。
【００２３】
【発明の効果】
本発明によれば、操作子の操作により個別入力側が選択されると、第１のスイッチング素子が介挿される信号ラインを、第２の放送信号の増幅入力ラインから切り離すと共に、当該第１のスイッチング素子が介挿される信号ラインを接地して第１の放送信号に廻り込む第２の放送信号の成分を減衰させるので、製品コスト高を招致することなく、個別入力時における信号廻り込みを抑止することができる。
【図面の簡単な説明】
【図１】本発明による一実施例の構成を示す回路図である。
【図２】従来例の構成を示す回路図である。
【図３】従来例を説明する為の図である。
【符号の説明】
１  ＨＰＦ
２  ＬＰＦ
３  ＢＳ・ＣＳアンプ
４  ＶＨＦ・ＵＨＦアンプ
５  混合器
６  ＬＰＦ
Ｄ１  スイッチングダイオード（第１のスイッチング素子）
Ｄ２  スイッチングダイオード（第２のスイッチング素子）
ＳＷ  選択スイッチ（操作子）
Ｔ１  端子（第１の端子）
Ｔ２  端子（第２の端子）
【図１】
0003862800.tif 000002
【図２】
0003862800.tif 000003
【図３】
0003862800.tif 000004